(57)【特許請求の範囲】
【請求項１】
液体を含んだ被搬送体が搬送される搬送方向に沿って間隔をおいて配置され、該被搬送体に光を照射して前記液体を蒸発させる複数の発光部と、
前記複数の発光部全体に対する前記搬送方向の上流側と下流側の空間、及び、各発光部間の空間に対して、前記光の照射方向に沿って空気を前記被搬送体へ向けて供給する供給部と、前記被搬送体側から前記照射方向と逆方向へ空気が排出される排出部とが、前記搬送方向に沿って交互に配置された通気機構と、
を備え、
前記空間は、前記搬送方向及び前記照射方向に交差する交差方向に長さを有し、
前記供給部及び前記排出部は、前記空間の長手方向に沿って交互に配置されている
乾燥装置。
【請求項２】
前記空間の長手方向に沿って交互に複数配置された前記供給部と前記排出部との間には、
仕切りが設けられている
請求項１に記載の乾燥装置。
【請求項３】
前記供給部は、前記乾燥装置の装置内の湿度よりも低い湿度の前記空気を供給する
請求項１又は２に記載の乾燥装置。
【発明の詳細な説明】
【技術分野】
【０００１】
本発明は、乾燥装置に関する。
【背景技術】
【０００２】
特許文献１には、媒体に噴射したインクを硬化乾燥させる工程などに紫外線照射装置を用いることが開示されている。
【先行技術文献】
【特許文献】
【０００３】
【特許文献１】特開２０１５−０５８３９２号公報
【発明の概要】
【発明が解決しようとする課題】
【０００４】
液体を含んだ被搬送体に光を照射して液体を蒸発させる複数の発光部を備える乾燥装置では、被搬送体から蒸発した蒸気が、発光部の照射面に付着する場合がある。
【０００５】
本発明は、複数の発光部全体に対する搬送方向の上流側と下流側の空間、及び、各発光部間の空間の全部において、光の照射方向に沿って空気を被搬送体へ向けて供給する構成に比べ、液体を含んだ被搬送体から蒸発した蒸気が、発光部の照射面に付着することを抑制することを目的とする。
【課題を解決するための手段】
【０００６】
請求項１の発明は、液体を含んだ被搬送体が搬送される搬送方向に沿って間隔をおいて配置され、該被搬送体に光を照射して前記液体を蒸発させる複数の発光部と、前記複数の発光部全体に対する前記搬送方向の上流側と下流側の空間、及び、各発光部間の空間に対して、前記光の照射方向に沿って空気を前記被搬送体へ向けて供給する供給部と、前記被搬送体側から前記照射方向と逆方向へ空気が排出される排出部とが、前記搬送方向に沿って交互に配置された通気機構と、を備える。
【０００７】
請求項３の発明では、前記供給部は、前記乾燥装置の装置内の湿度よりも低い湿度の前記空気を供給する。
【発明の効果】
【００１０】
本発明の請求項１の構成によれば、複数の発光部全体に対する搬送方向の上流側と下流側の空間、及び、各発光部間の空間の全部において、光の照射方向に沿って空気を被搬送体へ向けて供給する構成に比べ、液体を含んだ被搬送体から蒸発した蒸気が、発光部の照射面に付着することを抑制できる。
【００１１】
本発明の請求項３の構成によれば、乾燥装置の装置内の湿度と同じ湿度の空気を供給する構成に比べ、液体を含んだ被搬送体から蒸発した蒸気が、発光部の照射面に付着することを抑制できる。
【図面の簡単な説明】
【００１４】
【図１】本実施形態に係る画像形成装置の構成を示す概略図である。
【図２】本実施形態に係る乾燥装置の構成を示す概略図である。
【図３】本実施形態に係る乾燥装置の構成の一部を示す概略図（図２のＸ方向矢視図）である。
【図４】本実施形態に係る乾燥装置の構成の一部を示す斜視図である。
【図５】本実施形態に係る供給ダクトの構成を示す概略図である。
【図６】本実施形態に係る排出ダクトの構成を示す概略図である。
【図７】第一変形例に係る乾燥装置の構成を示す概略図である。
【図８】第一変形例に係る供給ダクトの構成を示す概略図である。
【図９】第一変形例に係る排出ダクトの構成を示す概略図である。
【図１０】第二変形例に係る乾燥装置の構成を示す概略図（図１１のＸ方向矢視図）である。
【図１１】第二変形例に係る乾燥装置の構成を示す概略図である。
【発明を実施するための形態】
【００１５】
以下に、本発明に係る実施形態の一例を図面に基づき説明する。
【００１６】
（画像形成装置１０）
まず、画像形成装置１０（吐出装置）について説明する。図１は、画像形成装置１０の構成を示す概略図である。
【００１７】
図１に示されるように、画像形成装置１０は、画像形成装置本体１３（筐体）と、連帳紙Ｐ（被搬送体の一例）を搬送する搬送部１６と、連帳紙Ｐにインク滴（液滴）を吐出する吐出ユニット４０（吐出部）と、インク滴が吐出された連帳紙Ｐを乾燥する乾燥装置５０と、を備えている。
【００１８】
吐出ユニット４０、乾燥装置５０は、連帳紙Ｐの搬送方向の上流側から下流側に向かってこの順で配置されている。したがって、搬送部１６によって搬送される連帳紙Ｐの各部分に対して、吐出動作及び乾燥動作が、この順で実行される。
【００１９】
（搬送部１６）
搬送部１６は、連帳紙Ｐを巻き出す巻出ロール６２と、連帳紙Ｐを巻き取る巻取ロール６４と、連帳紙Ｐを搬送する複数の搬送ロール６６と、を有している。巻取ロール６４は、駆動部６９によって回転駆動される。これにより、巻取ロール６４が連帳紙Ｐを巻き取ると共に、巻出ロール６２が連帳紙Ｐを巻き出す。
【００２０】
複数の搬送ロール６６は、巻出ロール６２と巻取ロール６４との間で、連帳紙Ｐに巻き掛けられている。これにより、巻出ロール６２から巻取ロール６４までの連帳紙Ｐの搬送経路が定められている。複数の搬送ロール６６は、巻取ロール６４が連帳紙Ｐを巻き取ることで、巻取ロール６４側へ進行する連帳紙Ｐに従動回転する。
【００２１】
（吐出ユニット４０）
吐出ユニット４０は、イエロー（Ｙ）、マゼンタ（Ｍ）、シアン（Ｃ）、ブラック（Ｋ）の各色のインク滴を連帳紙Ｐに吐出する吐出ヘッド４２Ｙ、４２Ｍ、４２Ｃ、４２Ｋ（以下、４２Ｙ〜４２Ｋという）を有している。この吐出ヘッド４２Ｙ〜４２Ｋから各色のインク滴が連帳紙Ｐに吐出されることで、連帳紙Ｐに画像が形成される。
【００２２】
（乾燥装置５０）
乾燥装置５０は、図２に示されるように、筐体５２と、筐体５２の内部に配置された複数の面発光レーザ５４（発光部の一例）と、複数の面発光レーザ５４を支持する支持体５６と、通気機構８０と、を有している。筐体５２の上部には、連帳紙Ｐが入る入口５２Ａが形成されている。筐体５２の下部には、連帳紙Ｐが出る出口５２Ｂが形成されている。
【００２３】
支持体５６は、側面視にて（図２においてＸ方向矢視にて）、図３に示されるように、枠状に形成されている。具体的には、支持体５６は、連帳紙Ｐの搬送方向（Ａ方向）に沿って長さを有する一対の支持部材５６Ａ、５６Ｂと、連帳紙Ｐの幅方向（搬送方向と交差する方向、Ｂ方向）に沿って長さを有する一対の支持部材５６Ｃ、５６Ｄと、を有している。
【００２４】
本実施形態では、図２及び図４に示されるように、複数の面発光レーザ５４として、４つの面発光レーザ５４Ａ、５４Ｂ、５４Ｃ、５４Ｄが、連帳紙Ｐの搬送方向に沿って間隔をおいて配置されている。各面発光レーザ５４Ａ、５４Ｂ、５４Ｃ、５４Ｄは、連帳紙Ｐの幅方向（Ｂ方向）に長さを有している。各面発光レーザ５４Ａ、５４Ｂ、５４Ｃ、５４Ｄの両端部（連帳紙Ｐの搬送方向に沿った両端部）が、一対の支持部材５６Ａ、５６Ｂに取り付けられている。
【００２５】
連帳紙Ｐの搬送方向における最上流側に配置された面発光レーザ５４Ａは、支持部材５６Ｃとの間に隙間を有している。連帳紙Ｐの搬送方向における最下流側に配置された面発光レーザ５４Ｄは、支持部材５６Ｄとの間に隙間を有している。これにより、４つの面発光レーザ５４全体に対する連帳紙Ｐの搬送方向の上流側と下流側に空間７１、７５が形成されている。
【００２６】
面発光レーザ５４Ａと面発光レーザ５４Ｂとの間、面発光レーザ５４Ｂと面発光レーザ５４Ｃとの間、及び、面発光レーザ５４Ｃと面発光レーザ５４Ｄとの間のそれぞれには、空間７２、７３、７４が形成されている。
【００２７】
空間７１、７２、７３、７４、７５は、この順で、連帳紙Ｐの搬送方向（Ａ方向）に沿って配置されている。空間７１、７２、７３、７４、７５は、連帳紙Ｐの幅方向（Ｂ方向）に長さを有している。
【００２８】
４つの面発光レーザ５４は、レーザ（光の一例）を照射する照射面５３が、筐体５２の内部で搬送される連帳紙Ｐの画像形成面に対向している。乾燥装置５０では、４つの面発光レーザ５４の照射面５３から連帳紙Ｐの画像形成面へレーザを照射することで、画像形成面上のインクの水分（液体の一例）を蒸発させ、連帳紙Ｐを乾燥させる。
【００２９】
通気機構８０は、図２に示されるように、空気を供給する供給ダクト９２、９４（供給部の一例）と、送風機８６と、空気が排出される排出ダクト９１、９３、９５（排出部の一例）と、を有している。
【００３０】
供給ダクト９２、９４は、空気を供給する供給路を形成する部材である。具体的には、図５に示されるように、供給ダクト９２、９４は、供給口１０３を形成する形成部１１０と、テーパ部１２０と、流入管１３０と、を有している。
【００３１】
形成部１１０は、図３及び図５に示されるように、互いが連帳紙Ｐの幅方向（Ｂ方向）で対向し連帳紙Ｐの搬送方向に沿って配置された一対の側壁１１１と、互いが連帳紙Ｐの搬送方向で対向し連帳紙Ｐの幅方向（Ｂ方向）に沿って配置された一対の対向壁１１２と、を有している。形成部１１０は、一対の側壁１１１と一対の対向壁１１２とに囲まれた内部空間を有している。
【００３２】
テーパ部１２０は、平面視にて（連帳紙Ｐの搬送方向（Ａ方向）に見て）台形状とされた一対の台形壁１２１と、一対の台形壁１２１の斜辺に沿って配置された一対の傾斜壁１２２と、一対の台形壁１２１における平行な２つの辺のうちの短辺に沿って配置された短壁１２５と、を有している。テーパ部１２０は、一対の台形壁１２１と、一対の傾斜壁１２２と、短壁１２５と、に囲まれた内部空間を有している。テーパ部１２０の内部空間は、形成部１１０の内部空間と通じている。
【００３３】
流入管１３０は、図２に示されるように、筐体５２を貫通している。流入管１３０の一端部が短壁１２５に連結されており、テーパ部１２０の内部空間と通じている。流入管１３０の他端部は、筐体５２の外部と通じている。流入管１３０の他端部には、送風機８６が接続されている。
【００３４】
送風機８６は、画像形成装置本体１３の内部であって筐体５２の外部から取り込んだ空気を除湿する除湿器（図示省略）を有している。送風機８６は、画像形成装置本体１３の内部であって筐体５２の外部の空気を取り込み、該空気を該除湿器により除湿し、該空気を流入管１３０に送り込むようになっている。これにより、画像形成装置本体１３の内部の空気及び筐体５２内部の空気よりも湿度が低い空気が流入管１３０に送られる。なお、当該除湿器は、例えば、空気が通過することで吸湿する除湿フィルタなどで構成されている。また、当該除湿器により除湿された空気の湿度は、例えば、１０％ＲＨ以下とされる。なお、送風機８６は、除湿器（除湿機構）を有さず、筐体５２内の空気をそのまま用いて送風してもよい。ただし、高速印刷の場合など多量の蒸発物がある場合には、除湿器を有することが好ましい。また、送風機８６の吸気部は、筐体１３の外側にあって、筐体１３の外側の空気を取り込む構成でも良い。さらに、送風機８６自体が筐体１３の外側に設けられて、筐体１３の外側の空気を取り込む構成であってもよい。それらの場合も、筐体１３外部の空気をそのまま用いてもよいが、除湿器を用いて除湿した空気を用いるのが好ましい。
【００３５】
供給ダクト９２、９４は、それぞれ、空間７２、７４に対して配置されている。また、供給ダクト９２、９４は、それぞれ、側面視にて（図３参照）、側壁１１１及び対向壁１１２が、空間７２、７４を囲んでいる。これにより、供給ダクト９２、９４の供給口１０３は、それぞれ、空間７２、７４に開口している。
【００３６】
これにより、送風機８６によって供給ダクト９２、９４の流入管１３０に送られた空気が、供給ダクト９２、９４のテーパ部１２０及び形成部１１０の内部を通って、供給口１０３から放出される。供給口１０３から放出された空気は、空間７２、７４に対して、レーザの照射方向に沿って連帳紙Ｐへ向けて供給される。このように、供給ダクト９２、９４は、空間７２、７４において、レーザの照射方向に沿って連帳紙Ｐに向けて空気を供給する。
【００３７】
一方、排出ダクト９１、９３、９５は、空気が排出される排出路を形成する部材であり、供給ダクト９２、９４と同様の形状に形成されている。具体的には、排出ダクト９１、９３、９５は、図６に示されるように、排出口２０３を形成する形成部２１０と、テーパ部２２０と、流出管２３０と、を有している。形成部２１０は、図３及び図６に示されるように、互いが連帳紙Ｐの幅方向（Ｂ方向）で対向し連帳紙Ｐの搬送方向に沿って配置された一対の側壁２１１と、互いが連帳紙Ｐの搬送方向で対向し連帳紙Ｐの幅方向（Ｂ方向）に沿って配置された一対の対向壁２１２と、を有している。
【００３８】
テーパ部２２０は、平面視にて（連帳紙Ｐの搬送方向（Ａ方向）に見て）台形状とされた一対の台形壁２２１と、一対の台形壁２２１の斜辺に沿って配置された一対の傾斜壁２２２と、一対の台形壁２２１における平行な２つの辺のうちの短辺に沿って配置された短壁２２５と、を有している。
【００３９】
流出管２３０は、図２に示されるように、筐体５２を貫通している。流出管２３０の一端部が短壁２２５に連結されており、テーパ部２２０の内部と通じている。流出管２３０の他端部は、筐体５２の外部と通じている。すなわち、排出ダクト９１、９３、９５は、流出管２３０によって、筐体５２の外部に開放されている。
【００４０】
排出ダクト９１、９３、９５は、それぞれ、空間７１、７３、７５に対して配置されている。以上のように、通気機構８０では、排出ダクト９１、９３、９５と供給ダクト９２、９４とが、空間７１、７２、７３、７４、７５（以下、７１〜７５という）に対して、連帳紙Ｐの搬送方向に沿って交互に配置されている。
【００４１】
また、排出ダクト９１、９３、９５は、それぞれ、側面視（図２においてＸ方向矢視）にて、側壁２１１及び対向壁２１２が、空間７１、７３、７５を囲んでいる。これにより、排出ダクト９１、９３、９５の排出口２０３は、それぞれ、空間７１、７３、７５に開口している。
【００４２】
これにより、空間７２、７４においてレーザの照射方向に沿って連帳紙Ｐに向けて供給された空気が、送風機８６によって生じる気流によって、空間７１、７３、７５へ流れる。さらに、空間７１、７３、７５に流れた空気は、排出ダクト９１、９３、９５に対して、連帳紙Ｐ側からレーザの照射方向と逆方向へ空気が排出される。排出ダクト９１、９３、９５に対して排出される空気は、具体的には、排出口２０３を通じて排出ダクト９１、９３、９５の内部に排出される。なお、排出ダクト９１、９３、９５の内部に排出された空気は、流出管２３０から筐体５２の外部に流出する。
【００４３】
なお、筐体５２の外部に排出された空気は、筐体１３に装備される吸気排気機構（エアフロー）により筐体１３の外部に排出される。あるいは、流出管２３０が筐体１３の外部までつながっていて、筐体１３の外部に直接排出される構成でも良い。その場合、排出用の送風機を別途使用してもよい。いずれの場合も、排出された空気が、送風機８６により再び直接吸引されないようなエアフロー（経路）にすることが好ましい。
【００４４】
（本実施形態に係る作用）
本実施形態では、４つの面発光レーザ５４の照射面５３から連帳紙Ｐの画像形成面へレーザを照射することで、画像形成面上のインクの水分（液体の一例）を蒸発させ、連帳紙Ｐを乾燥させる。
【００４５】
そして、送風機８６によって供給ダクト９２、９４の流入管１３０に送られた空気が、供給ダクト９２、９４のテーパ部１２０及び形成部１１０の内部を通って、供給口１０３から放出される。供給口１０３から放出された空気は、空間７２、７４に対して、レーザの照射方向に沿って連帳紙Ｐへ向けて供給される。空間７２に対して供給された空気は、送風機８６によって生じる気流によって、面発光レーザ５４Ａ側と面発光レーザ５４Ｂ側とに分かれ、面発光レーザ５４Ａと連帳紙Ｐとの間、及び、面発光レーザ５４Ｂと連帳紙Ｐとの間を通過し、空間７１、７３へ流れる。
【００４６】
また、空間７４に対して供給された空気は、面発光レーザ５４Ｃ側と面発光レーザ５４Ｄ側とに分かれ、面発光レーザ５４Ｃと連帳紙Ｐとの間、及び、面発光レーザ５４Ｄと連帳紙Ｐとの間を通過し、空間７３、７５へ流れる。
【００４７】
そして、空間７１、７３、７５へ流れた空気は、連帳紙Ｐ側からレーザの照射方向と逆方向へ排出ダクト９１、９３、９５に対して排出される。排出ダクト９１、９３、９５に対して排出される空気は、具体的には、排出口２０３を通じて排出ダクト９１、９３、９５の内部に排出される。排出ダクト９１、９３、９５の内部に排出された空気は、流出管２３０から筐体５２の外部に流出する。
【００４８】
このように、各面発光レーザ５４Ａ、５４Ｂ、５４Ｃ、５４Ｄと連帳紙Ｐとの間を通過する空気によって、レーザの照射により連帳紙Ｐから蒸発した蒸気が運ばれる。
【００４９】
また、本実施形態では、排出ダクト９１、９３、９５と供給ダクト９２、９４とが、空間７１〜７５に対して、連帳紙Ｐの搬送方向に沿って交互に配置されている。このため、空間７１〜７５の全てでレーザの照射方向に沿って空気を供給する構成（第一比較例）に比べ、空気が、各面発光レーザ５４Ａ、５４Ｂ、５４Ｃ、５４Ｄと連帳紙Ｐとの間において、滞留しにくく、スムーズに流れる。
【００５０】
したがって、本実施形態によれば、上記の第一比較例に比べ、連帳紙Ｐから蒸発した蒸気が、面発光レーザ５４Ａ、５４Ｂ、５４Ｃ、５４Ｄの照射面５３に付着することが抑制される。これにより、照射面５３に付着した蒸気が結露して水滴となり、該水滴によるレーザの連帳紙Ｐへの照射を妨げる現象が抑制される。
【００５１】
また、本実施形態では、画像形成装置本体１３の内部の空気及び筐体５２内部の空気よりも湿度が低い空気が供給される。このため、画像形成装置本体１３の内部の空気及び筐体５２内部の空気の湿度と同じ湿度の空気を供給する構成（第二比較例）に比べ、連帳紙Ｐから蒸発した蒸気が、空気に取り込まれ、蒸気が排出されやすい。したがって、上記の第二比較例に比べ、連帳紙Ｐから蒸発した蒸気が、面発光レーザ５４Ａ、５４Ｂ、５４Ｃ、５４Ｄの照射面５３に付着することが抑制される。
【００５２】
（第一変形例）
図７及び図８に示されるように、供給ダクト９２、９４は、それぞれ、複数の供給ダクト４２０で構成されていてもよい。図７及び図８に示す例では、供給ダクト９２、９４は、それぞれ、４つの供給ダクト４２０で構成されている。
【００５３】
供給ダクト９２、９４は、４つの供給ダクト４２０が、空間７２、７４の長手方向（連帳紙Ｐの幅方向、Ｂ方向）に沿って配置されている。各供給ダクト４２０は、連帳紙Ｐの幅方向に沿った長さが短い点を除いて、図５に示す前述の供給ダクト９２、９４と同様に構成されている。なお、各供給ダクト４２０の各部において、供給ダクト９２、９４の各部と同様の機能を有する部分に同一の符号を付している。
【００５４】
そして、本変形例では、供給ダクト９２、９４における各供給ダクト４２０の流入管１３０が送風機８６に接続されている。
【００５５】
図７及び図９に示されるように、排出ダクト９１、９３、９５は、それぞれ、複数の排出ダクト４３０で構成されていてもよい。図７及び図９に示す例では、排出ダクト９１、９３、９５は、それぞれ、４つの排出ダクト４３０で構成されている。
【００５６】
排出ダクト９１、９３、９５は、それぞれ、４つの排出ダクト４３０が、空間７１、７３、７５の長手方向（連帳紙Ｐの幅方向、Ｂ方向）に沿って配置されている。各排出ダクト４３０は、連帳紙Ｐの幅方向に沿った長さが短い点を除いて、図６に示す前述の排出ダクト９１、９３、９５と同様に構成されている。なお、各排出ダクト４３０の各部において、排出ダクト９１、９３、９５の各部と同様の機能を有する部分に同一の符号を付している。
【００５７】
本変形例の構成では、送風機８６によって供給ダクト９２、９４の各供給ダクト４２０の流入管１３０に送られた空気が、各供給ダクト４２０のテーパ部１２０及び形成部１１０の内部を通って、供給口１０３から放出される。供給口１０３から放出された空気は、空間７２、７４に対して、レーザの照射方向に沿って連帳紙Ｐへ向けて供給される。空間７２に対して供給された空気は、送風機８６によって生じる気流によって、面発光レーザ５４Ａ側と面発光レーザ５４Ｂ側とに分かれ、面発光レーザ５４Ａと連帳紙Ｐとの間、及び、面発光レーザ５４Ｂと連帳紙Ｐとの間を通過し、空間７１、７３へ流れる。
【００５８】
また、空間７４に対して供給された空気は、面発光レーザ５４Ｃ側と面発光レーザ５４Ｄ側とに分かれ、面発光レーザ５４Ｃと連帳紙Ｐとの間、及び、面発光レーザ５４Ｄと連帳紙Ｐとの間を通過し、空間７３、７５へ流れる。
【００５９】
そして、空間７１、７３、７５へ流れた空気は、連帳紙Ｐ側からレーザの照射方向と逆方向へ排出ダクト９１、９３、９５の各排出ダクト４３０に対して排出される。各排出ダクト４３０に対して排出される空気は、具体的には、排出口２０３を通じて各排出ダクト４３０の内部に排出される。各排出ダクト４３０の内部に排出された空気は、流出管２３０から筐体５２の外部に流出する。
【００６０】
このように、各面発光レーザ５４Ａ、５４Ｂ、５４Ｃ、５４Ｄと連帳紙Ｐとの間を通過する空気によって、レーザの照射により連帳紙Ｐから蒸発した蒸気が運ばれる。これにより、連帳紙Ｐから蒸発した蒸気が、面発光レーザ５４Ａ、５４Ｂ、５４Ｃ、５４Ｄの照射面５３に付着することが抑制される。これにより、照射面５３に付着した蒸気が結露して水滴となり、該水滴によるレーザの連帳紙Ｐへの照射を妨げる現象が抑制される。
【００６１】
また、本変形例の構成では、空間７２、７４の長手方向に沿って配置された複数の供給ダクト４２０から空間７２、７４へ空気を供給するので、単一のダクトから空間７２、７４へ空気を供給する構成（比較例）に比べ、供給する空気の風量における空間７２、７４の長手方向でのムラが抑制される。
【００６２】
本変形例の構成では、空間７１、７３、７５の長手方向に沿って配置された複数の排出ダクト４３０へ空間７１、７３、７５から空気が排出されるので、単一のダクトへ空気が排出される構成（比較例）に比べ、排出される空気の風量における空間７１、７３、７５の長手方向でのムラが抑制される。
【００６３】
（第二変形例）
第二変形例では、図１０に示されるように、空間７１、７３、７５に対して、空間７１、７３、７５の長手方向一端側から他端へ（Ｂ方向へ）、排出ダクト４３０、供給ダクト４２０、排出ダクト４３０、供給ダクト４２０が、この順で配置されている。
【００６４】
また、空間７２、７４に対して、空間７２、７４の長手方向一端側から他端へ（Ｂ方向へ）、供給ダクト４２０、排出ダクト４３０、供給ダクト４２０、排出ダクト４３０が、この順で配置されている。
【００６５】
そして、空間７１〜７５の長手方向の各部分（図１０における１００Ａ、１００Ｂ、１００Ｃ、１００Ｄで示す部分）において、排出ダクト４３０と供給ダクト４２０とが、空間７１〜７５に対して、連帳紙Ｐの搬送方向に沿って交互に配置されている。
【００６６】
各空間７１〜７５において、図１０及び図１１に示されるように、排出ダクト４３０と供給ダクト４２０との間には、仕切板５２０が設けられている。この仕切板５２０によって、各空間７１〜７５において、排出ダクト４３０と供給ダクト４２０との間で通気することが抑制される。
【００６７】
さらに、支持体５６の支持部材５６Ａ、５６Ｂ、５６Ｃ、５６Ｄの下面には、支持体５６と同様に枠状に形成された仕切枠５３０が設けられている。この仕切枠５３０によって、支持体５６の外側との間で通気することが抑制される。
【００６８】
本変形例の構成では、送風機８６によって各供給ダクト４２０の流入管１３０に送られた空気が、各供給ダクト４２０のテーパ部１２０及び形成部１１０の内部を通って、供給口１０３から放出される。
【００６９】
空間７１〜７５の長手方向の１００Ａ部分（一端部）及び１００Ｃ部分では、供給口１０３から放出された空気は、空間７２、７４に対して、レーザの照射方向に沿って連帳紙Ｐへ向けて供給される。空間７２に対して供給された空気は、送風機８６によって生じる気流によって、面発光レーザ５４Ａ側と面発光レーザ５４Ｂ側とに分かれ、面発光レーザ５４Ａと連帳紙Ｐとの間、及び、面発光レーザ５４Ｂと連帳紙Ｐとの間を通過し、空間７１、７３へ流れる。
【００７０】
また、空間７４に対して供給された空気は、面発光レーザ５４Ｃ側と面発光レーザ５４Ｄ側とに分かれ、面発光レーザ５４Ｃと連帳紙Ｐとの間、及び、面発光レーザ５４Ｄと連帳紙Ｐとの間を通過し、空間７３、７５へ流れる。
【００７１】
そして、空間７１、７３、７５へ流れた空気は、連帳紙Ｐ側からレーザの照射方向と逆方向へ各排出ダクト４３０に対して排出される。各排出ダクト４３０に対して排出される空気は、具体的には、排出口２０３を通じて各排出ダクト４３０の内部に排出される。各排出ダクト４３０の内部に排出された空気は、流出管２３０から筐体５２の外部に流出する。
【００７２】
空間７１〜７５の長手方向の１００Ｂ部分及び１００Ｄ部分（他端部）では、供給口１０３から放出された空気は、空間７１、７３、７５に対して、レーザの照射方向に沿って連帳紙Ｐへ向けて供給される。
【００７３】
空間７１に対して供給された空気は、送風機８６によって生じる気流によって、面発光レーザ５４Ａと連帳紙Ｐとの間を通過し、空間７２へ流れる。
【００７４】
また、空間７３に対して供給された空気は、送風機８６によって生じる気流によって、面発光レーザ５４Ｂ側と面発光レーザ５４Ｃ側とに分かれ、面発光レーザ５４Ｂと連帳紙Ｐとの間、及び、面発光レーザ５４Ｃと連帳紙Ｐとの間を通過し、空間７２、７４へ流れる。
【００７５】
さらに、空間７５に対して供給された空気は、送風機８６によって生じる気流によって、面発光レーザ５４Ｄと連帳紙Ｐとの間を通過し、空間７４へ流れる。
【００７６】
そして、空間７２、７４へ流れた空気は、連帳紙Ｐ側からレーザの照射方向と逆方向へ各排出ダクト４３０に対して排出される。各排出ダクト４３０に対して排出される空気は、具体的には、排出口２０３を通じて各排出ダクト４３０の内部に排出される。各排出ダクト４３０の内部に排出された空気は、流出管２３０から筐体５２の外部に流出する。
【００７７】
このように、各面発光レーザ５４Ａ、５４Ｂ、５４Ｃ、５４Ｄと連帳紙Ｐとの間を通過する空気によって、レーザの照射により連帳紙Ｐから蒸発した蒸気が運ばれる。これにより、連帳紙Ｐから蒸発した蒸気が、面発光レーザ５４Ａ、５４Ｂ、５４Ｃ、５４Ｄの照射面５３に付着することが抑制される。これにより、照射面５３に付着した蒸気が結露して水滴となり、該水滴によるレーザの連帳紙Ｐへの照射を妨げる現象が抑制される。
【００７８】
（他の変形例）
通気機構８０では、送風機８６によって生じる気流によって、排出ダクト９１、９３、９５の流出管２３０から空気が排出されていたが、これに限られない。例えば、流出管２３０の他端部に吸引装置を設け、吸引装置によって能動的に流出管２３０から空気を排出する構成であってもよい。
【００７９】
通気機構８０では、送風機８６によって、供給ダクト９２、９４側から空気を送り込み（アクティブ側）、排出ダクト９１、９３、９５側から自然に空気が排出される（パッシブ側）構成で説明してきたが、これは逆でも良い。すなわち、排出ダクト９１、９３、９５側から強制吸引し（アクティブ側）、供給ダクト９２、９４側から自然に空気が吸い込まれるような構成にしても、実質的な空気の流れはほぼ同じになるため同様の効果が得られる。この場合、図２において、アクティブな送風機８６はなくなり、かわりに流出管２３０にアクティブな吸引装置が接続される。この場合、流入管１３０から吸い込まれる空気は筐体５２の外側で筐体１３の内側の空気でも良いし、筐体１３の外側まで配管されて筐体１３の外側から吸い込まれるような構成でもよい。また、流出管２３０から吸引装置で吸引した空気は、筐体５２の外側で筐体１３の内側に排出されてもよいし、筐体１３の外側まで配管されて筐体１３の外側に排出してもよい。吸引装置は筐体５２の内部、筐体１３の内部、筐体１３の外部のいずれに設けられていてもよい。
【００８０】
また、本実施形態では、連帳紙Ｐに含まれる液体がインクであったが、これ限られず、他の液体であってもよい。
【００８１】
また、本実施形態では、被搬送体として連帳紙Ｐを用いたが、これに限られない。被搬送体としては、例えば、搬送方向の長さが予め定められた長さとされたカット紙等の記録媒体であってもよく、液体を含みうるものであればよい。
【００８２】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００８３】
５０   乾燥装置
５４   面発光レーザ（発光部の一例）
８０   通気機構
９１   排出ダクト（排出部の一例）
９２   供給ダクト（供給部の一例）
Ｐ     連帳紙（被搬送体の一例）
【図１】
0006665555.tif 000002
【図２】
0006665555.tif 000003
【図３】
0006665555.tif 000004
【図４】
0006665555.tif 000005
【図５】
0006665555.tif 000006
【図６】
0006665555.tif 000007
【図７】
0006665555.tif 000008
【図８】
0006665555.tif 000009
【図９】
0006665555.tif 000010
【図１０】
0006665555.tif 000011
【図１１】
0006665555.tif 000012